Podtech/llm-jp-corpus-v4-ja_patent huggingface dataset:
(57)【要約】      （修正有）【課題】受付商品を伝票に明記して現場に指示をする作業に於いての伝票の見落としや伝票の紛失事故をなくし、口頭の無駄な確認をなくし、作業順番の管理を確立し、更に作業の能率向上を図る。【解決手段】連錯する平面自在金具の環、又は平面状の調帯で二個の車輪にかけ渡し、平面自在金具又は調帯に固定された突起物に伝票を取付け、回転させることで伝票が移動する。【選択図】図１
0003136669.tif 000002
【実用新案登録請求の範囲】
【請求項１】
連錯する平面自在金具の環、又は平面状の調帯で二個の車輪にかけ渡し、平面自在金具又は調帯に固定された突起物に伝票を取付け、回転させることで伝票が移動する回転伝票ハンガーである。
【考案の詳細な説明】
【考案の詳略名説明】
【産業上の利用分野】
この考案は、伝票を回転ハンガーに引っ掛け、伝票を処理する場所又は伝票に基づいて商品を加工する場所に回転させることで伝票を移動させることの出来る回転伝票ハンガーである。伝票に基づいて商品を作る場所に於いては、順番良く速やかに商品を作り上げる指示と管理の出来る伝票の回転ハンガーである。
【背景技術】従来の順次伝票による商品処理に於いては、その度、手渡しと口頭の確認を要した、又は伝票を用意された板に貼り付けるか、伝票を吊り下げた。
【考案が解決しようとする課題】
受付（注文）伝票を順番良く商品処理を行う現場にて、順番の違いや処理品の重複、更に伝票の紛失があった。処理順番の管理を速やかにすることを目的とした伝票回転ハンガーである。
【課題を解決する手段】
本考案は、受付（注文）た伝票の順番が常に確認が出来ること。伝票の指示で処理する場所に於いては速やかに伝票の確認が出来ること。更に伝票の見落としや紛失することがなく管理を確実簡素化することである。
【作用】
受付（注文）伝票に基づいての商品を加工又は処理する現場に於いては、速やかに処理が出来る。
【実施例】なお、実施にあたっては、次のことが考えられる。
（イ）  伝票回転ハンガーを天井から吊り下げ固定するか、間仕切りに取付けるか、壁面に固定することで伝票の管理が簡素化される。
（ロ）  受付（注文）伝票の処理順番が確立する。
（ハ）  伝票指示による作業処理の見落しや重複がなくなる。
【考案の効果】
伝票回転ハンガーによって受付（注文）と伝票指示による現場処理が的確になり、更に速やかになった。行為的に処理できなかった伝票はハンガーが回転していることで再び処理現場に戻ってくることである。
【図面の簡単な説明】
【図１】本考案の斜視図である。（１）の引っ掛け突起に伝票（２）を引っ掛ける、（３）は伝票の指示される現場で伝票は外される。回転駆動は（４）の手で押して伝票を送る方法、又は手元の押しボタンスイッチを押す度（５）の駆動用モーターによるシャフト及び車輪（６）の回転で伝票を送る方法を示したものである。
【図２】伝票の送り先が配置により回転伝票ハンガーが車輪二個の直線で設置出来ない場合はガイド車輪（７）で方向を変えることを示したものである。
【図３】伝票を吊り下げたとき、駆動帯が垂れ下がる、垂れ下がりを少なくする為に（８）の平面自在金具又は（９）の調帯を使用する。（１０）は伝票の取付け面であり、取り外しの簡単なフック面とする伝票取りフックである。
【符号の説明】
１、伝票を吊り下げるフック（突起）及びフック面。
２、伝票及び伝票を取付ける。
３，伝票指示を受ける場所、伝票を外す。
４，手動時は手で廻す（廻し送る）。
５，駆動用モーター。
６，シャフトと車輪。
７，ガイド車輪。
８，平面自在金具。
９，調帯（平面ベルト）。
１０，伝票取り付けフック。
【図１】
0003136669.tif 000003
【図２】
0003136669.tif 000004
【図３】
0003136669.tif 000005
【手続補正書】
【提出日】平成19年4月12日(2007.4.12)
【手続補正１】
【補正対象書類名】実用新案登録請求の範囲
【補正対象項目名】全文
【補正方法】変更
【補正の内容】
【実用新案登録請求の範囲】
【請求項１】
連錯する平面自在金具の環、又は平面状の調帯の環を二個の車輪にかけ渡す。平面自在金具又は調帯に固定された突起物に伝票を引っ掛ける。回転させることで引っ掛けた伝票が移動する回転伝票ハンガー。
【手続補正書】
【提出日】平成19年8月9日(2007.8.9)
【手続補正１】
【補正対象書類名】実用新案登録請求の範囲
【補正対象項目名】全文
【補正方法】変更
【補正の内容】
【実用新案登録請求の範囲】
【請求項１】
調帯の環を二個の車輪にかけ渡し、調帯の下側の突起に伝票を引っ掛け回転させることにより伝票を移動させる回転伝票ハンガー。
(57)【要約】      （修正有）【課題】生涯を通して、悩まされる、台所使用者、主に主婦の台所、とりわけガス台清掃に傾けられる労働時間と憂うつを軽減する。【解決手段】やゝ地厚のアルミホイルによりガス台全体を覆うことで、まず、かくせるという安心感を得る。又、使用口に合わせ必要口だけ開けて、他の口に調理時に飛びはねる油や液がかかるだけで、今迄のように、不使用部分の清掃に時間と労働力をとられることが激減する。【選択図】図１
0003136668.tif 000002
【実用新案登録請求の範囲】
【請求項１】
台所据置きガスコンロに対応。バーナー２ヶ口と３ヶ口他、使用するガスバーナー口以外に、ふきこぼれや油はね等による汚れを、コンロカバーで受け取め、本体を汚れから守る一助とする、清掃軽減用、ガスコンロカバー。
【考案の詳細な説明】
【技術分野】
【０００１】本考案は、使用ガスバーナー以外の不使用バーナー口及び周辺を覆う。
【背景技術】
【０００２】一般家庭における台所に設置されているガスコンロは、相像をはるかに越えた速さで汚れ、多くの主婦が最も嫌う、あるいは苦手とする清掃対象物のひとつ。
【考案の開示】
【考案が解決しようとする課題】
【０００３】絶えず、煮炊きや揚げ物、炒め物によって飛びはねる煮汁、油、調味料等で、コンロ及び周辺を汚す調理に、主婦は気を滅入らせる。その軽減を計りたい。
【課題を解決するための手段】
【０００４】ガスコンロを使用する時、その使用するバーナー口のみを開ける開閉式のカバーとし、バーナー口２ヶ以上の、家庭用ガスコンロに対応できるものとする。
【考案の効果】
【０００５】不使用のガス口とその周辺を覆って調理する（火を使う）ため、最も汚れが激しいガスコンロが全体的に覆われ、余計な、特に油汚れの軽減による、本体の清掃の頻度の減少は主婦の手間と憂うつさをも軽くする。コンロ自体の耐久性も上がる。
【考案の実施するための最良の形態】
【０００６】全体を覆う平面形。２ヶ口コンロでは、中心部分を切ることにより、片側を使用中には、反対側はカバーで覆われている。
その他（３ヶ口以上）の形態も、各バーナー口が開閉できるように切り込みを入れ、使用面は、持ち上げ、覆いをコンロ後方へ倒す。それ以外は覆われている。
全ての口を使用、あるいは調理をしない時、カバーははずしておく。
【実施例…使用法】
【０００７】以下、添付図面に従って、実施例を説明する。
〔図１〕はガス口３ヶとして、２と３はＣに切り込みが入り、１の方向へ倒して開ける。２と３両方使用、あるいは片側使用時は、その部位を開け、その他は平らにしておく。
１は、ａｂ線に切り込みを入れ、さらに２、３側ｅも切り込みを入れ、その面（１）を上に持ち上げ、ガスコンロ後方へ倒して使用する。
〔図２〕は、ガス口２ヶに対応、５と６の中心線に切り込みを入れ、使用面は、ガスコンロ後方へ倒す。４の部分は、ガス栓及びホースの保護のためとする。
【図面の簡単な説明】
【０００８】
【図１】中・大・小ガスバーナー３ヶ口に対応するカバー形態
【図２】左右２ヶ口ガスバーナーに対応するカバー形態
【図１】
0003136668.tif 000003
【図２】
0003136668.tif 000004
【手続補正書】
【提出日】平成19年5月9日(2007.5.9)
【手続補正１】
【補正対象書類名】実用新案登録請求の範囲
【補正対象項目名】全文
【補正方法】変更
【補正の内容】
【実用新案登録請求の範囲】
【請求項１】
「台所据置きガスコンロ対応において、
（１）ガスバーナー  ２ヶ口
（２）ガスバーナー  ３ヶ口
以上からなるガスコンロカバー。」
（１）、（２）、どちらの場合も、全てを使用する時は、ガスコンロカバーは使わない。
（１）、（２）、どちらの場合も、使用するバーナーに置く鍋やフライパンから、煮こぼれ汁、あるいは炒め、もしくは揚げ物等の油はねは、不使用のガスバーナーを含めて、ガスコンロ全体あるいは部分的に汚すのが常である。
全体を覆うカバーは、ガスバーナー口に当たる部分に切り込みを入れて、開閉するように作られるので、今迄のように、不使用バーナー口及び周辺を汚すことなく、料理（調理、煮炊き）する事ができる。素材はアルミニュームとし使い捨てとする。
【手続補正書】
【提出日】平成19年7月30日(2007.7.30)
【手続補正１】
【補正対象書類名】実用新案登録請求の範囲
【補正対象項目名】全文
【補正方法】変更
【補正の内容】
【実用新案登録請求の範囲】
【請求項１】
「台所据置きガスコンロに対応するガスコンロカバーであって、バーナー２ヶ口と３ヶ口他、使用するガスバーナー口以外に、ふきこぼれや油はね等による汚れを、コンロカバーで受け取め、本体を汚れから守る一助とするために、前記ガスコンロカバーの前記ガスバーナー口の間に位置する部分に切り込みを入れて、各ガスバーナー口の部分が開閉可能とされたことを特徴とする清掃軽減用ガスコンロカバー。」
【手続補正２】
【補正対象書類名】明細書
【補正対象項目名】０００６
【補正方法】変更
【補正の内容】
【０００６】
全体を覆う平面形、２ヶ口コンロ（図２）では、中心部分を切ることにより、片側を使用中には、反対側はカバーで覆われている。その他（３ヶ口以上）の形態も、各バーナー口が、開閉できるように切り込みを入れ、使用面は持ち上げ、覆いをコンロ後方へ倒す．それ意外は覆われている。
全ての口を使用、あるいは使用しない場合、カバーははずしておく。
【実施例…使用法】
【０００７】
以下、添付図面に従って実施例を説明する。
［図１］は、バーナー口３ケとして、２と３はｄに切り込みが入り２は▲ロ▼の破線で折り後方へ倒す。３も同様に▲ハ▼の破線で折り後方へ倒す。１はａ、ｂ、ｃに切り込みを入れ、使用時は、▲イ▼の破線で折り、後方へ倒す。しかしながら、２と１、あるいは３と１のバーナー使用時の覆いは、２あるいは３の面を▲ロ▼あるいは▲ハ▼の破線部位まで、折り畳む。
［図２］は、バーナー口２ケに対応。４と５の中心線ｅに切り込みを入れ、使用面はガスコンロ後方へ倒す、４は▲ニ▼、５は▲ホ▼の破線で折る．
【図面の簡単な説明】
【０００８】
【図１】大・中・小ガスバーナー３ヶ口に対応するカバー形態
【図２】左右２ヶ口ガスバーナーに対応するカバー形態。
【手続補正３】
【補正対象書類名】図面
【補正対象項目名】全図
【補正方法】変更
【補正の内容】
【図１】
0003136668.tif 000005
【図２】
0003136668.tif 000006
(57)【要約】      （修正有）【課題】効率が良く、肉体的負担も小さいことからお年寄り、小さなお子様が手軽に使用できる。【解決手段】柄部１に細長く加工した薄い金属板２をＵ字形に固定した簡単な構造ですが、柄部を持って手元に引き寄せるだけで草の根を切ると同時に草が刈られます。よって、小さなお子様でも充分に使用可能でありその効果は短い時間で大きな成果を上げることができます。また、薄い金属板が簡単に草をカットしますので、使用者は大きな力を必要としません。【選択図】図１
0003136662.tif 000002
【実用新案登録請求の範囲】
【請求項１】
作業者の手との一体感のある柄部に細長く加工した薄い金属板をＵ字形に固定した構造で、取り付け角度も重要な要素です。
また、柄部の長さ、大きさ、柄部と金属板との固定角度、金属板の厚さ等は用途によって変わります。
【考案の詳細な説明】
【考案の詳細な説明】
【技術分野】
【０００１】本考案は、草刈具に関するものである。
【背景技術】
【０００２】様々な草刈具が考案されていますが、子供、お年寄りの方々でも手軽に使用でき、肉体的負担が少なく、かつ効率の良い草刈具が少なかった。
【考案の開示】
【考案が解決しようとする課題】
【０００３】草刈作業は従来の工具を使用した場合において過大な時間と肉体的負担を要し、また、定期的に必要な作業のため安価で効率の良い工具が求められています。
【課題を解決するための手段】
【０００４】本考案は、単純で簡易な構造でありますが、軽く手前に引き寄せるだけで金属板が草の根を切りながら草を刈ることができます。よって、誰もが小さな力で効率よく草刈ができますので上記課題を解決するものです。
【考案の効果】
【０００５】請求項１の考案によれば、薄い金属板が草根をカットするのと同時に草を刈ります。根を切るため従来より草刈間隔を長くする効果もあります。また、草刈が楽になるため除草剤等の使用を少なくする効果もあり、自然と人にやさしい工具です。
【考案を実施するための最良の形態】
【０００６】図面を参照して本考案の実施の形態を説明する。木またはプラスチック樹脂等の素材で作った柄部（１）と細長く特定の形に加工した薄い金属板をＵ字形（２）に固定した形態で取付け角度（３）も重要な要素です。使用方法は柄部を持って金属板の頭部を軽く地面に差込み、手前に引き寄せるだけで草の根を切りながら草を刈ります。
【図面の簡単な説明】
【０００７】
【図１】  根切り草刈具の上方側面図である。
【図２】  根切り草刈具の平面図である。
【図３】  根切り草刈具の側面図である。
【符号の説明】
１  柄部
２  金属板部
３  取付け角度
【図１】
0003136662.tif 000003
【図２】
0003136662.tif 000004
【図３】
0003136662.tif 000005
【手続補正書】
【提出日】平成19年1月11日(2007.1.11)
【手続補正１】
【補正対象書類名】実用新案登録請求の範囲
【補正対象項目名】全文
【補正方法】変更
【補正の内容】
【実用新案登録請求の範囲】
【請求項１】
形状において
（１）柄部は直方体状に加工した木材（又はプラスチック樹脂）を持ち易く加工し、
（２）金属板は薄く、細長く加工し、焼入れ等で材質を硬くし、
（３）金属板はＵ字形に折り曲げ、両端も、それぞれ２箇所づつ折り曲げた形状
構造において
（１）柄部と金属板を約、１４０度の角度を付けてネジ釘等で固定し、
（２）固定部分は両端をそれぞれ３点固定のぶれない構造
以上の構成からなる根切り草刈具
【手続補正書】
【提出日】平成19年5月12日(2007.5.12)
【手続補正１】
【補正対象書類名】実用新案登録請求の範囲
【補正対象項目名】全文
【補正方法】変更
【補正の内容】
【実用新案登録請求の範囲】
【請求項１】
形状において
（１）柄部は直方体状に加工した木材等を持ち易く加工し、
（２）金属板は薄く、細長く加工し、焼入れ等で材質を硬くし、
（３）金属板はＵ字形に折り曲げ、両端も、それぞれ２箇所づつ折り曲げた形状
構造において
（１）柄部と金属板を約、１４０度の角度を付けてネジ釘等で固定し、
（２）固定部分は両端をそれぞれ３点固定のぶれない構造
以上の構成からなる根切り草刈具
【手続補正書】
【提出日】平成19年7月19日(2007.7.19)
【手続補正１】
【補正対象書類名】実用新案登録請求の範囲
【補正対象項目名】全文
【補正方法】変更
【補正の内容】
【実用新案登録請求の範囲】
【請求項１】
形状において
（１）柄部は直方体状に加工した木材、あるいはプラスチック樹脂を持ち易く加工し、
（２）金属板は薄く、細長く加工し、焼入れ等で材質を硬くし、
（３）金属板はＵ字形に折り曲げ、両端も、それぞれ２箇所づつ折り曲げた形状
構造において
（１）柄部と金属板を約、１４０度の角度を付けてネジ釘で固定し、
（２）固定部分は両端をそれぞれ３点固定のぶれない構造
以上の構成からなる根切り草刈具
(57)【要約】      （修正有）【課題】セロハンテープカッター用の指サックであり、切り取ったセロハンテープに使用者の指紋を付着させない。【解決手段】セロハンテープの粘着力の影響を受けないシリコン系ゴムを素材とした人差し指用ゴムサックで、指先と周囲に穴あけ加工を施す事によりムレを防止し、着脱が容易であり、且つセロハンテープに指紋を付着させる事がなくテープを切り取る事が出来る。【選択図】図２
0003136663.tif 000002
【実用新案登録請求の範囲】
【請求項１】
シリコンゴム素材の指サックであり、セロハンテープの粘着力の影響を受けずにテープを切り取る事が出来、テープに指紋を付着させない特徴を有するセロハンテープカッター用指サック
【考案の詳細な説明】
【技術分野】
【０００１】本考案はセロハンテープカッター使用時に装着する指サックに関するものである。
【背景技術】
【０００２】セロハンテープカッターのセロハンテープを切り取る際、指紋がセロハンテープの糊付き面に付着する事が避けられない。
【考案の開示】
【考案が解決しようとする課題】
【０００３】セロハンテープカッターのテープを切り取る際、テープを親指と人差し指で挟み、必要な長さを引き出して切り取る。この時テープの糊の付着面側に当てる人差し指の指紋が強くテープに付着する。人差し指に指サックを装着する事に依りこの欠点を解決しようとするものである。
【課題を解決するための手段】
【０００４】本考案はセロハンテープの粘着作用の影響を受けない材質の指サックを装着する事に依り問題点を解決する。指サックの材質はシリコン素材のゴムで糊の粘着力を受けず、柔らかくて伸縮性が高く着脱が容易である。指サックの形は従来のゴムサック型で長さは指の第二関節位までとする。指先と周囲に通気の穴あけ加工を施しムレと圧迫感を軽減させる。
【考案の効果】
【０００５】上述の様に本考案を装着してセロハンテープカッターを使用する場合、粘着側のセロハンテープに指サックが当たるので切り取ったセロハンテープに指紋の付着が見られない。
【考案を実施するための最良の形態】
【０００６】本考案の指サックを人差し指に装着する。その際柔らかくて伸縮性の高いシリコン素材のゴムであることと指先と周囲に通気穴があることにより圧迫感が少なく着脱が容易である。セロハンテープカッターのセロハンテープを親指と人差し指で挟み、粘着面に指サックを当て必要とする長さのセロハンテープを引き出して切り取る。その際指サックが糊の粘着力の影響を受けることなく、指紋の付かないセロハンテープを切り取ることができる。
【実施例】
【０００７】以下添付図面に従って一実施例を説明する。１はシリコンゴム等適宜素材にて形成された指サックである。２は指サックの指先の穴。３．４．５．６は指サックの周囲に穴あけ加工を施し、着脱容易と圧迫感・ムレを軽減している。７の第二関節位の長さまでのゴムサックを装着し、親指を上にして指サックを装着した指を下のセロハンテープの糊付面に当て、必要な長さのセロハンテープを引き出し、切り取る。この時セロハンテープの粘着力の影響を受けることなく、指紋の付かないセロハンテープが使用可能となる。
【図面の簡単な説明】
【０００８】
【図１】本考案のセロハンテープ用指サックの正面図である。
【図２】本考案指サックの穴あけ加工部品を示す図である。
【図３】本考案指サックを装着した図である。
【符号の説明】
【０００９】１  指サック本体
２  指先の通気穴
３  周囲の通気穴
４  周囲の通気穴
５  周囲の通気穴
６  周囲の通気穴
７  指の第二関節
【図１】
0003136663.tif 000003
【図２】
0003136663.tif 000004
【図３】
0003136663.tif 000005
【手続補正書】
【提出日】平成19年4月3日(2007.4.3)
【手続補正１】
【補正対象書類名】実用新案登録請求の範囲
【補正対象項目名】全文
【補正方法】変更
【補正の内容】
【実用新案登録請求の範囲】
【請求項１】
人差し指に装着する形状の従来型指サックであるが素材がシリコンゴムであり、指先と周囲に数ヶ所の穴あけ加工を施したところを特徴とするセロハンテープカッター用指サック
【手続補正書】
【提出日】平成19年7月23日(2007.7.23)
【手続補正１】
【補正対象書類名】実用新案登録請求の範囲
【補正対象項目名】全文
【補正方法】変更
【補正の内容】
【実用新案登録請求の範囲】
【請求項１】
人差し指に装着する形状の指サックであるが素材がシリコンゴムであり、指先と周囲に数ヶ所の穴あけ加工を施したところを特徴とするセロハンテープカッター用指サック
(57)【要約】      （修正有）【課題】エプロンを作りたくても製作過程で技術的に高度な部分があると、製作を断念する生徒が多かった。また、教師としても生徒には難しい部分を代わって作るなど、負担も大きかった。【解決手段】そこで、あらかじめ布を裁断し、裁断した布の端がほつれないように、本体生地とウエストひも、首ひもにロックミシン加工（布端（裁ち目）の末に使う。布端をきりそろえながら縁をかがること）を施し、エプロン本体のボタン留め部分にボタンホール加工することによって、生徒たちは短時間で容易にエプロンを製作することができる。【選択図】図２
0003136667.tif 000002
【実用新案登録請求の範囲】
【請求項１】
学校の家庭科被服実習で、生徒が短時間に製作できるように、裁断ならびに縫製済みにした、家庭科の被服実習教材
【考案の詳細な説明】
【考案の詳細な説明】
【技術分野】
【０００１】学校の家庭科で被服製作の実習をする際に使う教材に関する技術分野
【背景技術】
【０００２】エプロンを作りたくても製作過程で技術的に高度な部分があると、製作を断念する生徒が多かった。また、教師としても生徒には難しい部分を代わって作るなど、負担も大きかった。
【考案が解決しようとする課題】
【０００３】本案は、難しい部分にボタンホール加工（エプロン本体のボタン留め部分）とロックミシン加工（本体生地・腰ひも・首ひも）を施し、できるだけ簡単にしようとするものである。
【課題を解決する手段】
【０００４】（イ）細かい型紙を切ったり、布を切ったりする裁断の時間を省くため、あらかじめ裁断をする。
（ロ）ボタンホール加工は高度な技術を必要とし、ボタンホール加工の時間を省くため、エプロン本体のボタン留め部分にボタンホール加工をする。
（ハ）切った布の端がほつれないように、本体生地と腰ひも・首ひもにあらかじめロックミシン加工（布端（裁ち目）の始末に使う。布端をきりそろえながら縁をかがること）をする。
【考案を実施するための最良の形態】
【０００５】難しい部分はあらかじめ上記のような加工をしている為、生徒はその手順を省いて製作に取り組める。
【考案の効果】
【０００６】エプロンが簡単に、短時間で製作できるようになる。
【図面の簡単な説明】
【図１】従来の製作前段階図
【図２】本考案の製作前段階図
【図１】
0003136667.tif 000003
【図２】
0003136667.tif 000004
【手続補正書】
【提出日】平成19年5月2日(2007.5.2)
【手続補正１】
【補正対象書類名】実用新案登録請求の範囲
【補正対象項目名】全文
【補正方法】変更
【補正の内容】
【実用新案登録請求の範囲】
【請求項１】
学校の家庭科被服実習で、生徒が短時間に製作できるように、エプロンを構成する全てのパーツ（エプロン本体・首ひも・腰ひも・ポケット）を裁断済みにし、エプロン本体の裾以外の見返し、アーム、脇、ならびに首ひも、腰ひもを縫製加工済みとし、さらにエプロン本体の左右にボタンホール加工を施し、容易にエプロンが完成できる家庭科の被服実習教材
【手続補正書】
【提出日】平成19年8月7日(2007.8.7)
【手続補正１】
【補正対象書類名】実用新案登録請求の範囲
【補正対象項目名】全文
【補正方法】変更
【補正の内容】
【実用新案登録請求の範囲】
【請求項１】
学校の家庭科被服実習で、生徒が短時間に製作できるように、エプロンの構成に必要となるエプロン本体、首ひも、腰ひも、ポケットを裁断済みにし、エプロン本体の裾以外の見返し、アーム、脇、ならびに首ひも、腰ひもを縫製加工済みとし、さらにエプロン本体の左右にボタンホール加工を施し、容易にエプロンが完成できる家庭科の被服実習教材
(57)【要約】【課題】カバー体の頂片の幅が効果的に短縮でき、頂片の抗変形強度を向上させて、変形を防止する組み合わせ式たんす構造を提供する。【解決手段】組み合わせ式たんす構造は、フレーム体と、外カバーユニットと、二幕とからなる。外カバーユニットは、左カバー、中間カバー、及び右カバーを有し、フレーム体の左右、及び中間に設置されて、フレーム体両側、頂部、及び後側のカバーを提供し、二幕はフレーム体の前側に引っ掛けられ、使用者が開け閉めする。【選択図】図２
0003136606.tif 000002
【実用新案登録請求の範囲】
【請求項１】
組み合わせ式たんす構造であって、フレーム体と、外カバーユニットと、二幕とからなり、記フレーム体は、左右棒架間に若干の伸縮連棒を組み合わせてなり、頂端の両伸縮連棒上に可動式の菱形状フレームを掛設すると共に、前記菱形状フレームの中間の連棒により両伸縮連棒に掛け、前記外カバーユニットは、左カバー、中間カバー、及び、右カバーを有し、前記左右カバーは、それぞれ垂直に連接された側片、後片と頂片を有し、それぞれ前記フレーム体の左右側に定位され、前記中間カバー体も垂直に連接される頂片と後カバー片を形成し、前記二幕は、前記フレーム体の前端面を遮蔽し、頂端は若干のフックにより前記フレーム体前端の前伸縮連棒に引っ掛けられ、前記外カバーと容置空間を形成することを特徴とする、組み合わせ式たんす構造。
【請求項２】
前記フレーム体上縁の伸縮連棒上に置物網と補助架を有し、前記補助架下端は、滑輪棒ユニットを有し、一側は前記伸縮棒により棒架と連結することを特徴とする、請求項１に記載の組み合わせ式たんす構造。
【請求項３】
前記左右カバー体の側片と頂片前縁は、垂直に側辺カバーと頂辺カバーを延伸し、同時に、前記中間カバーの頂片前縁は頂辺カバーを垂直に延伸することを特徴とする、請求項１に記載の組み合わせ式たんす構造。
【考案の詳細な説明】
【技術分野】
【０００１】
本考案は組み合わせ式たんす構造に関し、特に、三片カバー体設計によりカバー体頂端の抗変形強度を向上させる。
【背景技術】
【０００２】
市販の組み合わせ式たんすの形態は大同小異で、固定式フレーム体外をカバー体が被覆するものか、左右伸縮功能があるもので、カバー体は伸縮設計に適合し、カバー体は左右にカバー体によりフレーム体外部を被覆し、フレーム体が伸縮する時、左右二カバー体の頂片は幅が広すぎて低陥し、外観に影響するだけでなく、たんすの頂端の衣服を取り出す、或いは放置するとき、邪魔になってたんすの功能の発揮に影響するので改善が必要である。
【考案の開示】
【考案が解決しようとする課題】
【０００３】
本考案はカバー体頂端の抗変形強度を向上させ、また、変形の生成を防止する組み合わせ式たんす構造に関するものである。
【課題を解決するための手段】
【０００４】
組み合わせ式たんす構造は、フレーム体と、外カバーユニットと、二幕とからなる。外カバーユニットは、左カバー、中間カバー、及び、右カバーを有し、フレーム体の左右、及び中間に設置されて、フレーム体両側、頂部、及び後側のカバーを提供し、二幕はフレーム体の前側に引っ掛けられ、使用者が開け閉めする。
【考案の効果】
【０００５】
本考案により、カバー体の頂片の幅が効果的に短縮でき、頂片の抗変形強度を向上させて変形を防止する。
【考案を実施するための最良の形態】
【０００６】
図１、図２で示されるように、組み合わせ式たんす構造は、フレーム体１０と、外カバーユニット２０と、二幕３０とからなる。
【０００７】
フレーム体１０は、左右棒架１１間に若干の伸縮連棒を組み合わせてなり、頂端の両伸縮連棒１２上に可動式の菱形状フレーム１３を掛設すると共に、菱形状フレーム１３中間の連棒１３０により両伸縮連棒１２に掛け、菱形フレーム１３が左右に移動する。また、フレーム体１０の上縁の伸縮連棒上に置物網１４と補助架１５を設置し、補助架１５下端は滑輪棒ユニット１５０を有し、一側が伸縮連棒１５１により棒架１１と連結する。
【０００８】
外カバーユニット２０は、左カバー２１、中間カバー２２、及び右カバー２３を有し、左右カバー２１、２３は、それぞれ垂直に連接された側片２１０、２３０、後片２１１、２３１と頂片２１２、２３２を有し、それぞれフレーム体１０の左右側に定位される。中間カバー体２２も、垂直に連接される頂片２２０と後カバー片２２１を形成し、丁度フレーム体１０頂端中央部の菱形状フレーム１３上に設置され、左右カバー体２１、２３は適当に重畳される。また、左右カバー体２１、２３の側片２１０、２３０と頂片２１２、２３２前縁は、垂直に側辺カバー２３１、２３３と頂辺カバー２１４、２３４を延伸し、同時に、中間カバー２２の頂片２２０前縁は頂辺カバー２２２を垂直に延伸する。
【０００９】
二幕３０はフレーム体１０の前端面を遮蔽し、頂端は若干のフック３１によりフレーム体１０前端の前伸縮連棒に引っ掛けられ、側辺及び頂辺は丁度外カバー２０の辺カバー内に隠蔵され、フック３１と伸縮連棒の相互結合により、二幕３０は、たんす前方の開閉効果を提供する。
【００１０】
上述の素子からなる構造により、外カバーの三片式設計が効果的に各カバー体の頂片の幅を短縮して抗変形強度を増加し、頂カバーが陥没するのを防止して、外観を整え、衣服の取り出し作業を便利にする。
【００１１】
本考案の組み合わせ式たんす構造は、三片式カバー体の設計によりマスク体頂端の抗変形強度を向上させて、陥没変形するのを防止し、全体の美観と衣服の取り出しを便利にすることができる。
【００１２】
本考案では好ましい実施例を前述の通り開示したが、これらは決して本考案に限定するものではなく、当該技術を熟知する者なら誰でも本考案の精神と領域を脱しない範囲内で各種の変動や潤色を加えることができ、従って本考案明の保護範囲は、実用新案請求の範囲で指定した内容を基準とする。
【図面の簡単な説明】
【００１３】
【図１】本考案の立体外観図
【図２】本考案の立体分解図
【符号の説明】
【００１４】
１０    フレーム体
１１    棒架
１２    伸縮連棒
１３    フレーム
１３０  連棒
１４    置物網
１５    補助架
１５０  滑輪棒ユニット
１５１  伸縮連棒
２０    外カバーユニット
２１    左カバー
２１０  側片
２１１  後片
２１２  頂片
２１３  側辺カバー
２１４  頂辺カバー
２２    中間カバー
２２０  頂片
２２１  後片
２２２  頂片
２３    右カバー
２３０  側片
２３１  後片
２３２  頂片
２３３  側辺カバー
２３４  頂辺カバー
３０    幕
３１    フック
【図１】
0003136606.tif 000003
【図２】
0003136606.tif 000004
(57)【要約】      （修正有）【課題】ボタン穴とボタンによって接続でき、且つ携帯できることを特徴とする携帯リストレスト。【解決手段】ノートパソコン及びキーボードの半分程度の長さで、横長に布などの柔らかい素材で袋状に作成する。その袋の片側にボタン穴を開け、片側に表裏の布を同時に留める形でボタンをつけ、袋のあき口からクッション材を封入し、あき口を閉じる。【選択図】図１
0003136689.tif 000002
【実用新案登録請求の範囲】
【請求項１】
ボタン穴とボタンにより接続できることを特徴とするリストレスト
【考案の詳細な説明】
【技術分野】
【０００１】この考案はパソコン作業に用いるリストレストの形状に関する。
【背景技術】
【考案の開示】
【考案が解決しようとする課題】
【０００２】机もしくはパソコン台に考案されたリストレストは分離できないものであったり、キーボードやマウスのリストレストはそれぞれ個別の形状であったりして、パソコンの作業環境を整えるにはそれぞれに別々のリストレストが多数必要となる。それらは汎用性がなく、携帯できない形状である。
【課題を解決するための手段】
【０００３】以上の課題を解決するために、ボタン穴とボタンによって接続できることを特徴とするリストレストである。
【考案の効果】
【０００４】単独でマウス及びテンキー操作の際に手前に置いて使用し、また２つをボタン穴とボタンで接続してノートパソコン及びキーボードの前に置いて使用することにより、汎用性があり使う機器を選ばない。また、直接机及びパソコン機器に手首が触れる部分が少ないため、冬場の冷たさ、夏場のべたつきなどの不快感がなく、手首が浮かないのでパソコン作業の手首にかかる負荷の軽減を提供する。
【考案を実施するための最良の形態】
【０００５】ノートパソコン及びキーボードの半分程度の長さで、図１に示したように横長に布などの柔らかい素材で袋状に作成する。その袋の片側にボタン穴を開け、片側に表裏の布を同時に留める形でボタンをつけ、袋のあき口からクッション材を投入し、あき口を閉じる。
【実施例】
【図面の簡単な説明】
【０００６】
【図１】この考案の形状を示す真上から見た全体図である。
【図２】この考案の形状を示す真横から見た断面図である。
【符合の説明】
【０００７】１  表材（布など）      ２  ボタン穴      ３  ボタン      ４  クッション材
【図１】
0003136689.tif 000003
【図２】
0003136689.tif 000004
【手続補正書】
【提出日】平成19年7月30日(2007.7.30)
【手続補正１】
【補正対象書類名】実用新案登録請求の範囲
【補正対象項目名】全文
【補正方法】変更
【補正の内容】
【実用新案登録請求の範囲】
【請求項１】
表と裏ともに布などの柔らかい素材でノートパソコン及びキーボードの半分程度の長さで横長の袋状に作成し、あき口からクッション材を封入してあき口を閉じた袋の片側にボタン穴を開け、もう片側に表と裏の布を同時に留める形でボタンをつけた、少なくとも２つの携帯リストレストのボタン穴とボタンにより接続できることを特徴とする携帯リストレスト
【手続補正２】
【補正対象書類名】明細書
【補正対象項目名】全文
【補正方法】変更
【補正の内容】
【考案の詳細な説明】
【技術分野】
【０００１】この考案はパソコン作業に用いるリストレストの形状に関する。
【背景技術】
【考案の開示】
【考案が解決しようとする課題】
【０００２】机もしくはパソコン台に考案されたリストレストは分離できないものであったり、キーボードやマウスのリストレストはそれぞれ個別の形状であったりして、パソコンの作業環境を整えるにはそれぞれに別々のリストレストが多数必要となる。それらは汎用性がなく、携帯できない形状である。
【課題を解決するための手段】
【０００３】以上の課題を解決するために、ボタン穴とボタンによって接続でき、且つ携帯できることを特徴とする携帯リストレストである。
【考案の効果】
【０００４】単独でマウス及びテンキー操作の際に手前に置いて使用し、また２つをボタン穴とボタンで接続してノートパソコン及びキーボードの前に置いて使用することにより、汎用性があり使う機器を選ばない。また、直接机及びパソコン機器に手首が触れる部分が少ないため、冬場の冷たさ、夏場のべたつきなどの不快感がなく、手首が浮かないのでパソコン作業の手首にかかる負荷の軽減を提供する。
【考案を実施するための最良の形態】
【０００５】ノートパソコン及びキーボードの半分程度の長さで、図１に示したように横長に布などの柔らかい素材で袋状に作成する。その袋の片側にボタン穴を開け、片側に表裏の布を同時に留める形でボタンをつけ、袋のあき口からクッション材を封入し、あき口を閉じる。
【実施例】
【０００６】１．携帯リストレストは袋でできている
２．袋は横長で表と裏ともに布などの素材で、袋状で作成している（以下、袋という）
３．１の袋に、あき口がある
４．３の袋のあき口から、クッション材を封入し、あき口は閉じる
５．４の袋の片側にボタン穴が開けられている
６．５の袋のボタン穴の反対側の片側に表と裏の布を同時に留める形でボタンをつけている
７．少なくとも２つの携帯リストレストのボタン穴と、携帯リストレストのボタンで接続できる
【図面の簡単な説明】
【０００７】
【図１】この考案の形状を示す真上から見た全体図である。
【図２】この考案の形状を示す真横から見た断面図である。
【符号の説明】
【０００８】１素材（布など）          ２ボタン穴          ３ボタン          ４クッション材
(57)【要約】【課題】仏壇をお祭りする時比較的場所を取らず又転居時等にも持ち運びができる様に又使用者にとって二つとない重要な物であるのでこのかばん式仏壇は強固で難燃性の物件を提供する。【解決手段】図１の様に手提げかばんの類で強固難燃性の高い物件に仏壇の機能を持たせ、仏具、遺影、位牌、等をコンパクトに収納する事により、いつも仏を身近かに置く事ができ心の安心を得ようとした。又外出時等蓋を閉めておけば地震や火災にも耐えうるので損傷の心配はなく安全である。そして図１の仏像は平面像でも立体像でも良く又背面飾りの度合い等で安価な物から高額な物まで幅広く制作する事が可能よって若い人達の暮らしにも合致すると思われる。【選択図】図１
0003136682.tif 000002
【実用新案登録請求の範囲】
【請求項１】
仏壇を手提げかばんの様にした事。
【請求項２】
かばん式の仏壇が強固不燃である事。
【請求項３】
かばん式の仏壇本体に仏具、位牌、遺影、等を収納できる様にした事。
【請求項４】
かばん式の仏壇の蓋に仏像及び背面飾りをした事。
【請求項５】
かばん式の仏壇の蓋に電気式のローソク照明を付けた事。
【請求項６】
かばん式の仏壇を移動の時、蓋をして鍵を掛ける様にした事。
【考案の詳細な説明】
【技術分野】
【０００１】本考案は仏壇仏具を小型化し、お祭りの時は場所を取らず転居時等は蓋を閉めて簡単に収納移動できる。
【背影技術】
【０００２】従来の仏壇は形も大きく又小型化された卓上仏壇があるが移動の時の取手やお祭りの時の電気ローソク照明又仏像やその背面飾りにおいて異なる。
【特許文献１】登録実用新案第３１１０７７８号  卓上仏壇
【考案の開示】
【考案が解決しようとする課題】
【０００３】仏壇を身近に置き場所を取らず転居時にはコンパクトで移動が容易にでき又地震や火災にも耐える物にした。
【課題を解決するための手段】
【０００４】手提げかばんの類に仏壇仏具をセット化して納め不断お祭りの時は設置場所が狭くて、済み転居等の時はその蓋を閉めかばんの様にして移動が容易である。
【考案の効果】
【０００５】不断は図面の様に蓋を開けお祭りをするので設置の場所を取らない、又転居等の時はその蓋を閉め鍵を掛けてかばんの様にして持ち運びが容易である。
【考案を実施するための最良の形態】
【０００６】基本的に外部からの衝撃や火力熱に耐え得る容器本体とその蓋から成り丁番、鍵、取手、電気ローソク照明を有する。
本体はその内側に間仕切りを設け遺影、仏具、位牌等を収納しその上に仕切り板を仕組む、仕切り板に鍵付のツマミを付け開け閉め取り外しが出来る様にした。又蓋の内側は電気式のローソク、照明を設置し背面飾りを有し中央に仏像を配す、この仏像は平面に絵柄として書くのも又立体像を固定することも出来る。
上のごとくであるが転居時や移動の時はコンセントを抜き蓋を閉め鍵を掛けてカバンの様に移動が可能である。
【図面の簡単な説明】
【０００７】考案物件の使用状況の見取図で符号▲Ｄ▼の仕切り板の下に遺影、仏具、位牌を入れ▲Ｅ▼の鍵付ツマミを回すことにより▲Ｄ▼が開閉する。
仏像は平面像、立体像を問わない。
【図１】考案物件の蓋を開け使用状況を示した見取図である。
【符号の説明】
【０００８】▲Ａ▼――本体    ▲Ｂ▼――取手    ▲Ｃ▼――鍵    ▲Ｄ▼――仕切り板    ▲Ｅ▼――鍵付のツマミ    ▲Ｆ▼――蓋    ▲Ｇ▼――仏像    ▲Ｈ▼――背面飾り    ▲Ｉ▼――電気式のローソク照明    ▲Ｊ▼――▲Ｄ▼と併用して位牌乗せの台    ▲Ｋ▼――コンセント
【図１】
0003136682.tif 000003
【手続補正書】
【提出日】平成19年7月2日(2007.7.2)
【手続補正１】
【補正対象書類名】実用新案登録請求の範囲
【補正対象項目名】全文
【補正方法】変更
【補正の内容】
【実用新案登録請求の範囲】
【請求項１】
仏壇を手提げかばんに収めたことを特徴とするかばん式の仏壇。
(57)【要約】      （修正有）【課題】交通事故防止の遵守事項「車間距離確保」のアラームを後側のガラス板、鉄板函体にカードでつり下げるフックホルダー、ピンホルダー、袋を取り付け、取り外し容易のアタッチメントを提供する。【解決手段】自動車６、の後側ガラス板７、や鉄板函体８、にフックホルダー４、ピンホルダー５、布、皮、プラスチック、金属製袋１０、を接着したアタッチメント板３、にゴム又はプラスチック製の吸盤１、又はマグネット板３、を接着してあるので、取り付け取り外しが容易で、「車間距離確保」他のアラーム表示板（カード）９、をぶら下げて後方自動車に知らせる事ができる。袋１０、には毎朝・夕の新聞やメール１１、の受け入れ格納も可能である。【選択図】図１
0003136690.tif 000002
【実用新案登録請求の範囲】
【請求項１】
ゴム又はプラスチック製の吸盤又はマグネット吸着板を接着する事に於いてフックホルダーアタッチメントの位置決めとハンドリングに於けるマンマシンインターフェイス向上を計った吸盤付きアタッチメント。
【請求項２】
ピンホルダーアタッチメントを備えたことを特徴とする請求項１記載の吸盤付きアタッチメント。
【請求項３】
布、プラスチック、皮、金属製袋を備えたことを特徴とする請求項１記載の吸盤付きアタッチメント。
【考案の詳細な説明】
【技術分野】
【０００１】
本考案は、従来のフックホルダーやピンホルダーのアタッチメントに関する。
【背景技術】
【０００２】
フックホルダーやピンホルダーのアタッチメントは、木材、ガラス、金属、非金属、プラスチック板に固定されて運用されているツールである。
【考案の開示】
【考案が解決しようとする課題】
【０００３】
しかしながら、フックホルダーやピンホルダーのアタッチメントは、上述の板に接着剤や取付金具により固定されるツールであり、自動車の外側ガラス板や鉄板函体にくり返し運用されるツールにできなかった。
【０００４】
本考案は、上記実情に鑑みてなされたものであり、取り付け取り外しがひんぱんにできるアタッチメントツールを目的としている。
【課題を解決するための手段】
【０００５】
上記目的を達成するため考案は、フックホルダー、ピンホルダーそして袋を備えたアタッチメントの取り付け取り外しを容易にする事であり、次の構成を含むことを特徴としている。
ゴム又はプラスチック製の吸盤又はマグネット吸着板をフックホルダー、ピンホルダー、袋の固定面に接着するアタッチメントツールとするものである。
【考案の効果】
【０００６】
本考案により、自動車の外側ガラス板や鉄板函体に吸盤又は吸着板でフックホルダー、ピンホルダー、袋を備えたアタッチメントの取り付け取り外しを容易にできた。
そのため道交法遵守のための「車間距離確保」「飲酒運転禁止」他を記入したカードをつり下げたり、格納して運転手が安全運転のツールにできる。
【考案を実施するための最良の形態】
【０００７】
本考案の実施の形態の一例について、図面を参照しながら説明する。
吸盤付きアタッチメントは、図１に示すように、ゴム又はプラスチック製の吸盤１、マグネット吸着板２、アタッチメント板３、フックホルダー４、ピンホルダー５、自動車６、ガラス板７、鉄板函体８、アラーム表示板（カード）９、布、皮、プラスチック、金属製袋１０、メール１１、である。
【図面の簡単な説明】
【０００８】
【図１】本考案の吸盤付きアタッチメントを示す図である。
【符号の説明】
【０００９】
１.      ゴム又はプラスチック製の吸盤
２.      マグネット吸着板
３.      アタッチメント板
４.      フックホルダー
・  ピンホルダー
・  自動車
・  ガラス板
・  鉄板函体
・  アラーム表示板（カード）
・  布、皮、プラスチック、金属製袋
・  メール
【図１】
0003136690.tif 000003
【手続補正書】
【提出日】平成19年4月23日(2007.4.23)
【手続補正１】
【補正対象書類名】明細書
【補正対象項目名】０００９
【補正方法】変更
【補正の内容】
【０００９】
1.   ゴム又はプラスチック製の吸盤
２．  マグネット吸着板
３．  アタッチメント板
４．  フックホルダー
５．  ピンホルダー
６．  自動車
７．  ガラス板
８．  鉄板函体
９．  アラーム表示板（カード）
１０．布、皮、プラスチック、金属製袋
１１．メール
【手続補正書】
【提出日】平成19年5月31日(2007.5.31)
【手続補正１】
【補正対象書類名】実用新案登録請求の範囲
【補正対象項目名】全文
【補正方法】変更
【補正の内容】
【実用新案登録請求の範囲】
【請求項１】
ゴム又はプラスチック製の吸盤又はマグネット吸着板を道交法遵守の車間距離確保等を記入したアラーム表示板カードであるアタッチメント板に接着する事に於いてフックホルダーアタッチメントの位置決めとハンドリングに於けるマンマシンインターフェイス向上を計った吸盤付きアタッチメント。
【請求項２】
ピンホルダーアタッチメントを備えたことを特徴とする請求項１記載の吸盤付きアタッチメント。
【請求項３】
布、プラスチック、皮、金属製袋を備えたことを特徴とする請求項１記載の吸盤付きアタッチメント。
【手続補正書】
【提出日】平成19年9月3日(2007.9.3)
【手続補正１】
【補正対象書類名】実用新案登録請求の範囲
【補正対象項目名】全文
【補正方法】変更
【補正の内容】
【実用新案登録請求の範囲】
【請求項１】
ゴム又はプラスチック製の吸盤又はマグネット吸着板を自動車車体の鉄板、ガラス板に付着する面の裏面にフックホルダーアタッチメントを接着して備えた吸盤付きアタッチメント。
【請求項２】
ピンホルダーアタッチメントを備えたことを特徴とする請求項１記載の吸盤付きアタッチメント。
【請求項３】
布、プラスチック、皮、金属製袋を備えたことを特徴とする請求項１記載の吸盤付きアタッチメント。
(57)【要約】      （修正有）【課題】万能草刈り鎌を左右兼用にして又鎌刃を折りたたみ収納出来且つ鎌刃に波刃を３ケ所設け切れ味を向上するものである。【解決手段】木製の柄１に鎌刃着脱金具３を固定し、鎌刃４を着脱出来るようにする。鎌刃は左右１８０°反転着脱出来、草刈り鎌を左右兼用使用出来る。【選択図】図１
0003136686.tif 000002
【実用新案登録請求の範囲】
【請求項１】
３ケ所の波刃（波状に形成された刃）からなる鎌刃を着脱金具に装着し且つ１８０°反転しても装着出尚着脱金具に鎌刃ストッパースプリングを取付け鎌刃装着時ストッパースプリングストッパーボルトにより鎌刃が抜けないようにし着脱金具を木製の柄に固定したところを特微とする万能草刈り鎌。
【請求項２】
鎌刃のストッパーを外し着脱金具から抜き折りたたみ鎌刃ストッパー穴にストッパーボルトを引掛け鎌刃先端を木製の柄に固定した収納ケースに収納するところを特微とする万能草刈り鎌。
【考案の詳細な説明】
【技術分野】
【０００１】  本考案は草刈り鎌の刃部と柄が分離し且つ刃部を折りたたみ収納出来るようにしたものである。
【背景技術】
【０００２】  草刈り鎌は従来右利き用が主で左利き用はほんの一部で刃の部分は木製の柄に固定式である。
【考案の開示】
【考案が解決しようとする課題】
【０００３】  草刈り鎌による草刈り時左右から行なう場合左利き用右利き用の２本の草刈り鎌が必用である。
草刈り鎌の三日月の刃が１本では切れる部分が少ない
草刈り鎌を使用しない時、持運ぶ時刃の部分や先端が危険である、以上の欠点を解決しようとするものである。
【課題を解決するための手段】
【０００４】  草刈り鎌の刃の部分を着脱式して１本の草刈り鎌で左右兼用にする。
草刈り鎌の１本の刃に３ケ所の波刃を設ける。
草刈り鎌の着脱式により折りたたみ収納を可能にするものである。以上により問題点を解決している。
【考案の効果】
【０００５】  左手及び右手使用の草刈り鎌を１本化し作業を楽にする。
草刈り鎌の１本の三日月の刃に３ケ所の波刃を設け切れ味を向上するものである。
草刈り鎌の鎌刃着脱により鎌刃折りたたみ収納が出来危険を解消し且つコンパクトで持運びが便利である。
【考案を実施するための最良の形態】
【０００６】  草刈り鎌の刃の部分と柄を分離し着脱可能にし左利き右利き用に装着出来るようにする。
草刈り鎌の１本の三日月の刃に３ケ所の波刃を設ける。
草刈り鎌の刃と柄が分離する事により折りたたみ収納可能となり安全性を計るものである。
【実施例】
【０００７】  以上添付図面に従って実施例を説明する。
図１▲１▼は木製の柄で▲２▼は▲３▼の着脱金具を固定するリングである▲３▼は鎌刃を着脱する金具である▲４▼は▲４▼ａ点線のように左右１８０°反転出来左利き右利き用鎌刃である▲５▼は鎌刃ストッパー用スプリンク板です▲６▼は▲５▼の鎌刃ストッパースプリング板締付ボルトです▲７▼は鎌刃ストッパーボルトです▲８▼は▲７▼及び鎌刃引掛けを兼用し▲１２▼は鎌刃折りたたみ先端収納ケースです▲１４▼は鎌刃着脱金具固定鋲です▲１６▼は鎌刃に３ケ所の波刃を設けたものです。【０００８】  図２▲３▼の鎌刃着脱金具より鎌刃を抜き▲１５▼の鎌刃ストッパー穴▲８▼の引掛け金具に引掛け鎌刃を折りたたみ鎌刃先端を▲１２▼の収納ケースに収納するものである。
図３は各部品の分離図である。【０００９】  本考案の一実施例は前頁の如き構成からなるもので鎌刃を左右兼用で使用出来又鎌刃を抜き折りたたみ収納が可能なため刃による危険性が無く持ち運びが便利で且つ３ケ所の波刃により切れ味が向上しました。
【図面の簡単な説明】
【００１０】
【図１】本考案の万能草刈り鎌の実施例を示す正面図である
【図２】本考案の万能草刈り鎌の鎌刃収納図である。
【図３】本考案の万能草刈り鎌の分解図である。
【符号の説明】
【００１１】▲１▼  木製柄
▲２▼  木製柄の締付リング
▲３▼  鎌刃着脱金具
▲４▼  鎌刃
▲４▼ａ  鎌刃反転点線図
▲５▼  鎌刃ストッパースプリング板
▲６▼  鎌刃ストッパスプリング板締付ボルト
▲７▼  鎌刃ストッパーボルト
▲８▼  鎌刃ストッパー兼鎌刃引掛ボルト
▲９▼  鎌刃ストッパー締付ナット
▲１０▼  鎌刃ストッパー及びスプリング締付ボルト穴
▲１１▼  鎌刃ストッパースプリング締付ナット
▲１２▼  鎌刃折りたたみ先端収納ケース
▲１３▼  ▲１２▼固定鋲
▲１４▼  鎌刃着脱金具固定鋲
▲１５▼  鎌刃装着時ストッパー穴
▲１６▼  波刃
▲１７▼  鎌刃着脱金具ストッパー穴
▲１８▼  鎌刃着脱金具鎌刃ストッパースプリング板締付ボルト穴
【図１】
0003136686.tif 000003
【図２】
0003136686.tif 000004
【図３】
0003136686.tif 000005
【手続補正書】
【提出日】平成19年7月27日(2007.7.27)
【手続補正１】
【補正対象書類名】実用新案登録請求の範囲
【補正対象項目名】全文
【補正方法】変更
【補正の内容】
【実用新案登録請求の範囲】
【請求項１】
３ヶ所の波刃（波状に形成された刃）からなる鎌刃を着脱金具に装着し且つ１８０°反転しても装着でき、着脱金具に鎌刃ストッパースプリングを取付け鎌刃装着時ストッパースプリングストッパーボルトにより鎌刃が抜けないようにし着脱金具を木製の柄に固定したところを特徴とする万能草刈り鎌。
【請求項２】
鎌刃のストッパーを外し着脱金具から抜き折りたたみ鎌刃ストッパー穴にストッパーボルトを引掛け鎌刃先端を木製の柄に固定した収納ケースに収納するところを特徴とする請求項１に記載の万能草刈り鎌。
【手続補正２】
【補正対象書類名】明細書
【補正対象項目名】０００８
【補正方法】変更
【補正の内容】
【０００８】  図２▲３▼の鎌刃着脱金具より鎌刃を抜き、▲１９▼の鎌刃ストッパー穴を▲８▼の引掛け金具に引掛け鎌刃を折りたたみ鎌刃先端を▲１２▼の収納ケースに収納するものである。図３は各部品の分離図である。
【手続補正３】
【補正対象書類名】明細書
【補正対象項目名】００１１
【補正方法】変更
【補正の内容】
【００１１】▲１▼木製柄
▲２▼木製柄の締付リング
▲３▼鎌刃着脱金具
▲４▼鎌刃
▲４▼ａ鎌刃反転点線図
▲５▼鎌刃ストッパースプリング板
▲６▼鎌刃ストッパスプリング板締付ボルト
▲７▼鎌刃ストッパーボルト
▲８▼鎌刃ストッパー兼鎌刃引掛ボルト
▲９▼鎌刃ストッパー締付ナット
▲１０▼鎌刃ストッパー及びスプリング締付ボルト穴
▲１１▼鎌刃ストッパースプリング締付ナット
▲１２▼鎌刃折りたたみ先端収納ケース
▲１３▼▲１２▼固定鋲
▲１４▼鎌刃着脱金具固定鋲
▲１５▼鎌刃着脱金具固定鋲穴
▲１６▼波刃
▲１７▼鎌刃着脱金具ストッパー穴
▲１８▼鎌刃着脱金具鎌刃ストッパースプリング板締付ボルト穴
▲１９▼鎌刃装着時ストッパー穴
【手続補正４】
【補正対象書類名】図面
【補正対象項目名】図３
【補正方法】変更
【補正の内容】
【図３】
0003136686.tif 000006
(57)【要約】【課題】従来の海・山での遭難に於いては事故に遭遇した後、ひたすら救助を待つしか手段がなく、その為に発見だ遅れ尊い命が失われた。【解決手段】本考案はそれを早期発見救助する為の器具である。圧縮ガスで電波発信器及び発光器を取り付けた気球を膨らませ空中に放出させ発信器より発せられ電波信号を受信し発信位置を特定し気球の色彩及び発光器を船舶、飛行機等で目視し迅速に発見救助する事が出来る。【選択図】図２
0003136683.tif 000002
【実用新案登録請求の範囲】
【請求項１】
折り畳んだ」気球を救命具（ライフジャケット等）に取り付け有事の場合、圧縮ガスで気球を膨らませ空中に放出させる。
【請求項２】
目視時に極めて目立つ色の気球に発光器具及び電波発信器を取り付けた物。
【考案の詳細な説明】
【技術分野】
【０００１】本考案は救命具に圧縮ガス容器と折り畳み気球を装着したもので気球には小型の電波発信器及び発光器が装備されている。
【背景技術】
【０００２】従来の救命具は浮力だけである。
【解決しようとする課題】
【０００３】従来は目視による捜索で時間がかかり、その為に発見が遅れ尊い命が何名も失われた。
【解決しようとする手段】
【０００４】早期に発見し救助しなければならない、その為に電波発信器及び発光器具を取り付けた気球を空中に放出し位置を知らせ救助を待つ。
【効果】
【０００５】電波を受信し発信位置を速やかに特定し、至近距離で救助出来る又、至近距離であれば目視にても確認でき救助することが出来る。
【考案を実施する為の形態】
【０００６】本考案は、収納ポケット６、にセットされた折畳だ気球を作動ヒモ５、を引き圧縮ボンベ４、よりガスが気球１、内で膨張し浮力を生じ空中に放出される。気球１、に取り付けた、発光器２、及び電波発信機３、は放出時に作動する。尚、本体７、と気球１、は軽量で丈夫な連結ヒモ８、をもちいる。
【図面の簡単な説明】
【０００７】
【図１】、本考案セットしたライフジャケットの使用前正面図と背面図である。
【図２】、本考案セットしたライフジャケットの使用中正面図と背面図である。
【符号の説明】
【０００８】１  気球２  発光器３  電波発信機４  圧縮ボンベ容器５  作動ヒモ６  収納ポケット７  ライフジャケット本体８  連結ヒモ
【図１】
0003136683.tif 000003
【図２】
0003136683.tif 000004
【手続補正書】
【提出日】平成19年7月30日(2007.7.30)
【手続補正１】
【補正対象書類名】実用新案登録請求の範囲
【補正対象項目名】全文
【補正方法】変更
【補正の内容】
【実用新案登録請求の範囲】
【請求項１】
発光器及び電波発信機を取り付けた気球を折り畳み有事の場合に圧縮ガスで気球を膨らませ空中に放出させる救命具。